(57)【要約】【課題】携帯通信機器を机上に載置した状態でも安定感があって、テレビの視聴、テレビ電話等を快適に行うことができる理想の形態を提供する。【解決手段】表示部５を有する第１の筐体と、操作部を有する第２の筐体３と、これら第１の筐体及び第２の筐体３を開閉自在に連結にするヒンジ部１１とを設ける。ヒンジ部１１に開閉軸Ｘと、この開閉軸Ｘに直交する回転軸とを設け、表示部５を回転軸を中心に表裏反転自在に支持する。第１の筐体２を開く際に、開き始めから９０度開くまでの間の保持角度で保持する角度保持機構５２を設ける。【選択図】図５
2007110589.tif 000002
【特許請求の範囲】
【請求項１】
表示部を有する第１の筐体と、操作部を有する第２の筐体と、該第１の筐体及び第２の筐体を開閉自在に連結にするヒンジ部とを備え、
該ヒンジ部は開閉軸と、該開閉軸に直交する回転軸とを有し、上記表示部が該回転軸を中心に表裏反転自在に支持された携帯通信機器であって、
上記第１の筐体を開く際に、開き始めから９０度開くまでの間の保持角度で保持する角度保持機構を備えていることを特徴とする携帯通信機器。
【請求項２】
請求項１に記載の携帯通信機器において、
上記角度保持機構は、上記ヒンジ部が備えていることを特徴とする携帯通信機器。
【請求項３】
請求項１又は２に記載の携帯通信機器において、
上記保持角度は、複数設定されていることを特徴とする携帯通信機器。
【請求項４】
請求項１乃至３のいずれか１つに記載の携帯通信機器において、
テレビ受信機能を備えていることを特徴とする携帯通信機器。
【請求項５】
請求項１乃至４のいずれか１つに記載の携帯通信機器において、
動画再生機能を備えていることを特徴とする携帯通信機器。
【請求項６】
請求項１乃至５のいずれか１つに記載の携帯通信機器において、
テレビ電話機能を備えていることを特徴とする携帯通信機器。
【請求項７】
請求項１乃至６のいずれか１つに記載の携帯通信機器において、
上記第１の筐体は、ヒンジ部側のベース部を備え、該ベース部に上記表示部が上記回転軸を中心に表裏反転自在に支持されていることを特徴とする携帯通信機器。
【請求項８】
請求項７に記載の携帯通信機器において、
上記第１の筐体のベース部の上記第２の筐体の操作部と反対側の面には、テレビ電話用マイクが設けられていることを特徴とする携帯通信機器。
【請求項９】
請求項１乃至８のいずれか１つに記載の携帯通信機器において、
第１の筐体の左右側面には、スピーカが設けられていることを特徴とする携帯通信機器。
【請求項１０】
請求項１乃至９のいずれか１つに記載の携帯通信機器において、
上記表示部は、液晶表示部で構成されていることを特徴とする携帯通信機器。
【請求項１１】
請求項１乃至９のいずれか１つに記載の携帯通信機器において、
上記表示部は、有機ＥＬ表示部で構成されていることを特徴とする携帯通信機器。
【請求項１２】
折畳み式携帯電話機であることを特徴とする請求項１乃至１１のいずれか１つに記載の携帯通信機器。
【発明の詳細な説明】
【技術分野】
【０００１】
本発明は、携帯電話機やＰＨＳ等の携帯通信機器に関し、特にカメラやテレビチューナを備える携帯通信機器に関する。
【背景技術】
【０００２】
近年、携帯通信機器は、携帯電話機やＰＨＳのように小型化が進む一方、テレビ受信機能、テレビ電話機能、デジタルカメラ機能、デジタルビデオカメラ機能等の多様な機能が搭載されるようになってきている。この種の携帯通信機器では、表示部を備える第１の筐体と、操作部を備える第２の筐体と、これら第１の筐体及び第２の筐体を開閉自在に連結にするヒンジ部とを有し、このヒンジ部は開閉軸と、該開閉軸に直交する回転軸とを有するものがある。そして、操作性を向上させるために、第１の筐体の表示部がヒンジ部を介し、第２の筐体と直交方向に回動する技術が知られている。
【０００３】
例えば、特許文献１の携帯電話機では、コンパクトに折り畳んで、表示部を露出状態にすることができ、表示部を使用したり、カメラ部と表示部とを共に露出する位置に設けてデジタルカメラとして使用可能としている。
【０００４】
特許文献２の携帯型通信機器では、蓋体が閉じられたときに操作部に対向する位置に対物レンズが設けられた装置本体及び第１の軸回りに回動可能に支持される回動支持部と、この回動支持部に対して第１の軸に直交する第２の軸回りに回動可能に支持される表示部とを有する蓋体を備えている。このことによって、カメラ部による風景等の撮影時の操作性を向上させるとともに良好な携帯性を確保することが行われている。
【０００５】
特許文献３には、ヒンジ部が第２の回動軸により回動する構造を備え、第１筐体の表示面がヒンジ部を介して第２筐体の操作面と直交方向にも回動できるようにした携帯型電子機器が記載されている。この携帯型電子機器では、所定の角度の範囲を越えて第１筐体と第２筐体とが開かれた状態では、第１筐体又は第２筐体の第２の回動軸周りの回動を防止する回動防止手段を設け、第１筐体及び第２筐体が第２の回動軸周りに回動することがないようにしている。このため、２つの筐体を開いた状態で筐体がぐらつくことなく、安定して保持することが記載されている。
【特許文献１】特開２００３−１２５０４９号公報
【特許文献２】特開２００４−１５７０３号公報（図１）
【特許文献３】特開２００４−１３８０９２号公報
【発明の開示】
【発明が解決しようとする課題】
【０００６】
しかし、特許文献１では、机上に載置して撮影はできず、手に持って撮影をする必要がある。
【０００７】
また、特許文献２の図１の状態で机上に載置して写真撮影すると、第１の筐体の重心が第２の筐体上から外れ、不安定な状態となる。ましてや、第１の筐体が第２の筐体の質量よりも重いとなれば、更に不安定となり、机上に載置すれば、第２の筐体が浮き上がる状態になりかねない。
【０００８】
更に、特許文献３では、機器を載置した状態でのカメラの配置場所、表示部の傾きについての記載はない。
【０００９】
本発明の目的は、携帯通信機器を机上に載置した状態でも安定感があって、テレビの視聴、テレビ電話等を快適に行うことができる理想の形態を提供することにある。
【課題を解決するための手段】
【００１０】
上記目的を達成するために、この発明では、開き始めから９０度開くまでの間の保持角度で保持するようにした。
【００１１】
具体的には、第１の発明では、表示部を有する第１の筐体と、操作部を有する第２の筐体と、該第１の筐体及び第２の筐体を開閉自在に連結にするヒンジ部とを備え、
該ヒンジ部は開閉軸と、該開閉軸に直交する回転軸とを有し、上記表示部が該回転軸を中心に表裏反転自在に支持された携帯通信機器を対象としている。
【００１２】
そして、上記第１の筐体を開く際に、開き始めから９０度開くまでの間の保持角度で保持する角度保持機構を備えている。
【００１３】
すなわち、携帯電話機を開いた状態で机上に置き、表示部が表面側（操作部側）にある状態で表示部を適切な角度で見ようとすると、その開いた角度が９０度よりも大きくなり、第１の筐体の重さで携帯通信機器が安定しない。また、第１の筐体を開き始めから９０度開くまでの間に保持しようとすると、何らかの保持機構がなければ、第１の筐体の重みで閉じてしまう。しかし、上記の構成によれば、角度保持機構により、携帯通信機器の第１の筐体を開いて表示部を反転して操作部と反対側とし、開き始めから９０度開くまでの間の所定の保持角度で保持できる。このことで、手放しで第１の筐体が安定した状態で机上に載置されるので、テレビ電話、テレビ受信、動画再生時等に適切な角度で手軽に表示部を見ることができる。
【００１４】
第２の発明では、上記角度保持機構は、上記ヒンジ部が備えている。
【００１５】
上記の構成によれば、別途角度保持用の機構を設けなくてもよいので、コンパクトな携帯通信機器を安価に製造できる。
【００１６】
第３の発明では、上記保持角度は、複数設定されている。
【００１７】
上記の構成によれば、開き始めから９０度開くまでの間の色々な角度で保持することができるので、載置位置に合わせて見やすい位置に表示部が安定して保持される。
【００１８】
第４の発明では、テレビ受信機能を備えている。また、第５の発明では、動画再生機能を備えている。更に、第６の発明では、テレビ電話機能を備えている。
【００１９】
これらの発明では、表示部が適切な角度で保持された状態で使用できるので、それぞれの機能を簡易かつ快適に使用することができる。
【００２０】
第７の発明では、上記第１の筐体は、ヒンジ部側のベース部と、該ベース部に上記表示部が上記回転軸を中心に表裏反転自在に支持されている。
【００２１】
上記の構成によれば、ベース部内にヒンジ部の主要な機構が配置され、このベース部に保持される表示部の枠一杯に画面を設けることができる。
【００２２】
第８の発明では、上記第１の筐体のベース部の上記第２の筐体の操作部と反対側の面には、テレビ電話用マイクが設けられている。
【００２３】
すなわち、通常の携帯通信機器では、通話用のマイクは第２の筐体における操作部のある表面側に設けられているので、表示部を回転させて使用すると、通話用のマイクが操作部と反対側の面にないこととなる。このため、反転した表示部を見ながらテレビ電話機能を使用する際に会話を拾いにくい。しかし、上記の構成によると、表示部を反転させた状態でも、テレビ電話用マイクが通話者の正面に配置され、テレビ電話使用時に音声が確実に拾われるので、快適にテレビ電話が使用される。
【００２４】
第９の発明では、第１の筐体の左右側面には、スピーカが設けられている。
【００２５】
上記の構成によれば、机上に載置しても、スピーカからの音を塞ぐことはなく、左右からステレオ音声を聞くことが可能となるので、快適な使用が可能となる。
【００２６】
第１０の発明では、上記表示部は、液晶表示部で構成されている。
【００２７】
上記の構成によると、液晶表示部は、視野角が制限されやすいが、本発明によると、液晶表示部を適切な角度に安定して保持することができるので、利便性が高い。
【００２８】
第１１の発明では、上記表示部は、有機ＥＬ表示部で構成されている。
【００２９】
上記の構成によると、有機ＥＬ表示部は、薄型に形成できるので、携帯通信機器全体が薄く軽量となる。
【００３０】
第１２の発明では、携帯通信機器は、折畳み式携帯電話機とする。
【００３１】
上記の構成によれば、携帯性に優れ、何処でも、手放し載置して表示部を適切な角度で見ることができる。
【発明の効果】
【００３２】
以上説明したように、本発明によると、折畳み式携帯通信機器の第１の筐体を開いて表示部を反転し、開き始めから９０度開くまでの間の角度で保持することにより、テレビ受信やテレビ電話等を行うときに、手に持たずとも机上に載置した状態で反転した表示部を見ることができる。また、机上に載置した状態で折畳み式携帯通信機器自体の自立安定性がよい。
【発明を実施するための最良の形態】
【００３３】
以下、本発明の実施形態について、図に基づいて説明する。
【００３４】
図１は、本発明の実施形態に係る携帯通信機器としての携帯電話機１の閉じた状態を左方向から見た斜視図である。図２は、携帯電話機１の開いた状態を左方向から見た斜視図である。
【００３５】
図１及び図２に示すように、本実施形態の携帯電話機１は、第１の筐体２と、第２の筐体３とを有し、これらがヒンジ部１１（図７に示す）によって開閉軸Ｘを中心に回転されるように、開閉自在に連結されている。
【００３６】
上記第１の筐体２は、矩形板状の表示部５を備え、この表示部５の表面側には、枠一杯に液晶パネル５ａが設けられている。また、第１の筐体２の表面側の液晶パネル５ａの上側には、受話部６が設けられている。
【００３７】
上記第２の筐体３には、操作部４、第１の送話部２４、第２の送話部２３、及び充電端子２５等が設置されている。操作部４は、入力ボタン２２及び機能ボタン２１等で構成されている。
【００３８】
上記第１の筐体２は、表示部５の下側（第２の筐体３側）に門形のベース部７を備えている。一方、上記第２の筐体３は、上記ベース部７に挟まれるように垂直に隆起した膨出部１０を備えている。このベース部７のカバー７ａ及び膨出部１０のカバー１０ａ内に上記ヒンジ部１１が収容されている。このことで、ベース部７に表示部５が回転軸Ｙを中心に表裏反転自在に支持されている。
【００３９】
図３は、図１の第１及び第２の筐体２，３を閉じた状態から開閉軸Ｘを中心に第１の筐体２を９０度起こし、更に回転軸Ｙを中心に９０度回転した状態を示す左方向から見た斜視図である。この状態では、表示部５が第２の筐体３に対して垂直であるので、机上に携帯電話機１を置いたときに表示部５は、非常に見にくいものとなっている。
【００４０】
図３の状態から更に回転軸Ｙを中心に第１の筐体２を９０度回転して表示部が背面を向くようにし、第１の筐体２を閉じる方向に若干戻した状態が図４である。この状態で携帯電話機１を机上に置けば、ユーザが液晶パネル５ａに映し出された映像を快適に見ることができるようになっている。
【００４１】
図５は、図４の状態のベース部７のカバー７ａ及び膨出部１０のカバー１０ａを取り外し、ヒンジ部１１が見えるようにした図である。図６は、ヒンジ部１１の構成を示している。図７は、図６に示す各部品を組み立てたヒンジ部１１を示している。
【００４２】
上記ヒンジ部１１は、第２の筐体３に固定される脚部４０と、コ字のベース板５１と、表示部５に固定される回転部４１とを備えている。ベース板５１は、軸５５を中心に脚部４０に回転可能に支持されている。この軸５５は、バネ５８の中心にあり、この軸５５により開閉軸Ｘが形成されている。この開閉軸Ｘを中心にコ字のベース板５１が回転することにより、第１の筐体２と第２の筐体３との開閉が可能となっている。
【００４３】
また、ベース板５１の中央に開閉軸Ｘと垂直方向に回転する回転軸Ｙが設けられ、この回転軸Ｙ上に上記回転部４１が配置されることで、上記表示部５は、この回転軸Ｙを中心に自転が可能になっている。
【００４４】
上記開閉軸Ｘの片側（開いたときの右側）には、角度保持機構５２が設けられている。角度保持機構５２は、ビス５７によりベース板５１に締結固定されている。軸５５の先端は、ワッシャ５６が挿通された後、かしめられている。この角度保持機構５２の内部には、主として、可動カム５３、バネ５８が内蔵されている。このバネ５８は、角度保持機構５２の内部にあって、常に可動カム５３を外に追い出す力が働くようになっている。固定カム５４は、可動カム５３が外に出ないよう蓋をしている。固定カム５４の可動カム５３との接触部には、凹部５４ａが形成されている。凹部５４ａ以外の可動カム５３との接触部には、平面部５４ｂが形成されている。このテレビ電話等用凹部５４ａと同様の凹部５４ａが第１の筐体２の全閉時及び全開時用にそれぞれ設けられている。すなわち、本実施形態では、凹部５４ａは３カ所に設けられている。
【００４５】
−作用−
次に本実施形態の携帯電話機１の作用について説明する。
【００４６】
まず、第１の筐体２と第２の筐体３とを開閉するために、開閉軸Ｘを中心に回転する。このことで、可動カム５３は、固定カム５４の凹部５４ａと平面部５４ｂとに接触しながら移動する。第１の筐体２と第２の筐体３とは、可動カム５３が平面部５４ｂを滑るときはスムーズに滑る。  次に、更に、第１の筐体２を第２の筐体３に対して回転すると、可動カム５３が凹部５４ａに落ち込む。すると、可動カム５３が平面部５４ｂに再び上るためには、大きな力を必要とする。すなわち、可動カム５３が凹部５４ａに落ち込んだ状態からは、大きな力が働かないと平面部５４ｂに移動しないので、第１の筐体２と第２の筐体３とが所定のテレビ電話等用保持角度に保持され、図４に示す状態で表示部５が保持される。図５に示すように、固定カム５４の凹部５４ａの位置を適切に設定することにより、テレビ電話等用の保持角度を設定し、第１の筐体２が開閉の途中の定位置で止まるようにし、この状態で机上に載置すれば、ＴＶを見るときには手放しで映像を見ることができる。音声は第１の筐体２の左右に配置したスピーカ８から聞き取ることができる。
【００４７】
同様に、テレビ電話をするときも同じく手放しで映像を見ながら、音は第１の筐体２の左右側面のスピーカ８から聞き取り、マイクとしては、第１の筐体２のカバー７ａ背面のテレビ電話用マイク９により声を拾って話をすることができる。
【００４８】
−実施形態の効果−
したがって、本実施形態の携帯電話機１によると、折畳み式携帯通信機器の第１の筐体を開いて表示部を反転し、開き始めから９０度開くまでの間の角度で保持することにより、テレビ受信やテレビ電話等を行うときに、手に持たずとも机上に載置した状態で液晶パネル５ａを見ることができる。また、机上に載置した状態で折畳み式携帯通信機器自体の自立安定性がよい。
【００４９】
（その他の実施形態）
本発明は、上記実施形態について、以下のような構成としてもよい。
【００５０】
すなわち、上記実施形態では、携帯通信機器として携帯電話機１の例を示したが、カメラやテレビチューナを備えるＰＨＳやＰＤＡ等の携帯通信機器について適用できる。
【００５１】
上記実施形態では、表示部５は液晶パネル５ａを備えたものとしたが、有機ＥＬを備えたものとしてもよい。この場合には、有機ＥＬ表示部は、薄型に形成できるので、携帯通信機器全体が薄く軽量となる。
【００５２】
上記実施形態では、表示部５のテレビ電話等用の保持角度を１カ所のみとしたが、複数箇所としてもよい。この場合には、全閉時、全開時を含めて凹部５４ａを４つ以上設ければよい。このことで、開き始めから９０度開くまでの間の色々な角度で保持することができるので、載置位置に合わせて見やすい位置に表示部５が安定して保持される。
【００５３】
なお、以上の実施形態は、本質的に好ましい例示であって、本発明、その適用物や用途の範囲を制限することを意図するものではない。
【産業上の利用可能性】
【００５４】
以上説明したように、本発明は、カメラやテレビチューナを備える携帯電話機やＰＨＳ等の携帯通信機器について有用である。
【図面の簡単な説明】
【００５５】
【図１】本発明の実施形態に係る携帯電話機の閉じた状態を左方向から見た斜視図である。
【図２】携帯電話機の開いた状態を示す左方向から見た斜視図である。
【図３】図１の第１の筐体と第２の筐体とを閉じた状態から開閉軸を中心に第１の筐体を９０度起こし、更に表示部を回転軸を中心に９０度回転した状態を示す左方向から見た斜視図である。
【図４】図３の状態から回転軸を中心に第１の筐体を１８０度回転して表示部が背面を向くようにし、第１の筐体を閉じる方向に戻した状態を左方向から見た斜視図である。
【図５】図４の状態でカバーを取り外し、ヒンジ部が見えるようにした斜視図である。
【図６】ヒンジ部の構成詳細を示す分解斜視図である。
【図７】ヒンジ部を示す斜視図である。
【符号の説明】
【００５６】
１       携帯電話機
２      第１の筐体
３      第２の筐体
４      操作部
５      表示部
７      ベース部
８      スピーカ
９      テレビ電話用マイク
１１      ヒンジ部
５２      角度保持機構
Ｘ      開閉軸
Ｙ      回転軸
【図１】
2007110589.tif 000003
【図２】
2007110589.tif 000004
【図３】
2007110589.tif 000005
【図４】
2007110589.tif 000006
【図５】
2007110589.tif 000007
【図６】
2007110589.tif 000008
【図７】
2007110589.tif 000009